(57)【要約】【課題】放送番組と、この放送番組に対応する映像出力および音声出力を有するホームページを同時に表示、再生し、視聴することができるようにする。また、放送番組とホームページを同時に表示、再生して視聴する際に、視聴者が必要としない音声出力を選択して抑制できるようにする。【解決手段】放送番組の映像出力および音声出力と、この放送番組に対応するホームページの映像出力および音声出力とを表示、再生する情報受信装置を構成する。また、その情報受信装置に、放送番組の音声出力とホームページの音声出力とを切り替える音声出力切換手段を備える。【選択図】　　　図１
2004032650.tif 000002
【特許請求の範囲】
【請求項１】
放送番組と、この放送番組に対応するホームページとを同時に表示するように構成した情報受信装置において、
前記表示とともに、放送番組の音声出力とホームページの音声出力とを音響再生するように構成したことを特徴とする情報受信装置。
【請求項２】
放送番組の映像出力および音声出力と、この放送番組に対応するホームページの映像出力および音声出力とを表示、再生する情報受信装置であって、
放送番組の音声出力とホームページの音声出力とを切り替える音声出力切り替え手段を備えたことを特徴とする情報受信装置。
【請求項３】
放送番組の映像出力および音声出力と、この放送番組に対応するホームページの映像出力および音声出力とを表示、再生する情報受信装置であって、
放送番組の音声出力とホームページの音声出力とを合成する音声合成手段を備えたことを特徴とする情報受信装置。
【請求項４】
放送番組の音声出力とホームページの音声出力との切り替え設定を、電子番組ガイド（ＥＰＧ）データに基づき、番組単位で設定可能に構成したことを特徴とする請求項１から３のうちいずれか一項記載の情報受信装置。
【請求項５】
放送番組の映像出力とホームページの映像出力とを同時に表示する親画面と子画面に、音響再生中の音声出力が放送番組の音声出力か又はホームページの音声出力かを識別する音声出力表示手段を設けたことを特徴とする請求項１から４のうちいずれか一項記載の情報受信装置。
【発明の詳細な説明】
【０００１】
【発明の属する技術分野】
本発明は、情報受信装置に関するものである。
【０００２】
【従来の技術】
インターネットの普及にともない、例えば、テレビジョン放送においては、放送番組に対応するホームページをインターネット上に開設し、放送番組の中でホームページのＵＲＬ（ホームページアドレス：Ｕｎｉｆｏｒｍ　ＲｅｓｏｕｒｃｅＬｏｃａｔｏｒ）を放送することも普通に行われるようになった。しかしながら、番組放送中に、ＵＲＬが放送された場合、その情報に興味がある視聴者は、例えば、そのＵＲＬをメモし、パーソナルコンピュータ等を用いてホームページにアクセスする必要があり、非常に面倒であるという課題があった。
【０００３】
この課題を解決する一つの手段としては、ＥＰＧ（電子番組ガイド：Ｅｌｅｃｔｒｉｃ　Ｐｒｏｇｒａｍ　Ｇｕｉｄｅ）データに、放送番組の映像信号に対応するホームページのＵＲＬを付加して送信し、選択された放送番組のホームページのＵＲＬをｗｗｗブラウザに供給することにより、テレビジョン受信機に放送番組と，この放送番組に対応するホームページとを同時に表示するように構成した情報受信装置が、特開平１１−２７５５３７号公報に提案されている。
【０００４】
図４は、上記提案の情報受信装置をデジタルテレビジョン放送受信機に適用したときの構成を示している。この図４のデジタルテレビジョン放送受信機は、アンテナ１を通じて入力された信号を復調部２でトランスポートストリームに復調し、ＤＥＭＵＸ部３へ出力する。このＤＥＭＵＸ部３は、入力されたトランスポートストリームをエレメンタリストリームに多重分離する。この多重分割されたエレメンタリストリームの内、映像出力を選択するためのガイド情報のエレメンタリストリームは、ＥＰＧデータデコーダ４へ入力される。ＥＰＧデータデコーダ４は、視聴者からのチャンネル選択を促するためのＥＰＧデータを復号して、電子番組ガイド情報を表示装置５へ出力する。
【０００５】
視聴者は、表示装置５に再生表示された電子番組ガイドに従って、リモートコントローラ（以下、リモコンと記述する）６を操作して、希望するチャンネルを選択する。このチャンネルの選択情報は、リモコン６からシステムコントローラ７に赤外線を利用して供給される。
【０００６】
システムコントローラ７は、このチャンネル情報を受け付け、ＤＥＭＸ部３を制御する。このＤＥＭＸ部３は、システムコントローラ７によって制御されることにより、映像デコーダ８と音声デコーダ９へそれぞれ適正なエレメンタリストリームを出力する。映像デコーダ８は、映像エレメンタリストリームを映像信号に復号し、また、音声デコーダ９は、音声エレメンタリストリームを音声信号に復号する。この復号された映像信号および音声信号は、表示装置５へ出力されて表示、再生される。
【０００７】
また、映像信号に付加されたＵＲＬなどの情報は、ＤＥＭＵＸ部３による多重分離の際に、抽出される。一方、ＥＰＧデータデコーダ４は、上述したように、視聴者からのチャンネル選択を促するためのＥＰＧデータを復号して電子番組ガイド情報を表示装置５へ出力するとともに、視聴者により選択されたチャンネルにおいて、放送中である番組のＵＲＬをシステムコントローラ７へ出力する。システムコントローラ７は、入力されたＵＲＬの情報をインターフェイス（ＩＦ）１０を介して接続されているブラウザ装置１１へ供給する。
【０００８】
ブラウザ装置１１は、ｗｗｗブラウザプログラムを実行する情報処理装置からなり、モデム１２を制御して、システムコントローラ７から供給されたＵＲＬが示すサーバ１４にインターネット１３を介してアクセスし、そこに開設されたホームページ情報を取得して表示装置５に出力するように構成している。このブラウザ装置１１からの映像出力は、表示装置５において、放送番組の映像出力と合成され、図５に示すように、両者を一度に聴取できるように構成している。
【０００９】
表示装置５は、図５に示すように、システムコントローラ７の制御により、放送番組の映像と、この映像に対応するホームページの映像とを同時に表示するように構成している。例えば、表示装置５の横縦の比率が４：３である場合には、図５（Ａ）に示すように、ニュース映像が表示される親画面の中に、子画面が設定され、そこに、ホームページが表示されるピクチャ・イン・ピクチャによるインターネット情報の表示方式となる。また、表示装置５の横縦の比率が１６：９である場合には、図５（Ｃ）に示すように、親画面にニュース映像が表示され、子画面にホームページが表示されるピクチャ・アウト・ピクチャによるインターネット情報の表示方式となる。
【００１０】
なお、図５（Ａ）又は図５（Ｃ）に示す表示は、視聴者のリモコン６の操作によって、それぞれ図５（Ｂ）又は図５（Ｄ）のように、親画面と子画面の表示を入れ替えることができるように構成している。
【００１１】
ところで、上述したようなハード面での開発に加えて、ホームページの表現力は年々向上を続けており、文章や画像を対象とした映像出力だけではなく、映像出力に加えて音声出力を有するものが増えている。それらのホームページは、通常の放送番組と同様に、映像と音声との組み合わせにより、製作者の意図する情報を利用者に対し、より的確に伝達を図ろうとするものである。
【００１２】
【発明が解決しょうとする課題】
しかしながら、上述した特開平１１−２７５５３７号公報に見られるような従来の情報受信装置にあっては、映像出力と音声出力とを組み合わせたホームページは全く想定されていない。したがって、音声出力を有するホームページを選択した場合、放送番組の音声だけが出力されて、ホームページの音声出力は再生されずに、無音状態となり、ホームページの製作者が本来意図とした表現の伝達ができないという問題点がある。
【００１３】
本発明は、従来の技術が有するこのような問題点に鑑みてなされたものであり、その目的とするところは、放送番組と、その放送番組に対応する映像出力と音声出力を有するホームページを視聴することができ、また、放送番組とホームページを視聴する際に、視聴者が必要としない音声出力を選択して抑制することができる情報受信装置を提供しようとするものである。
【００１４】
【課題を解決するための手段】
上記の目的を達成するために、本発明の情報受信装置においては、放送番組と、この放送番組に対応するホームページとを同時に表示するように構成した情報受信装置において、放送番組とホームページの表示とともに、放送番組の音声出力とホームページの音声出力とを音響再生するように構成したものである。
【００１５】
また、放送番組の映像出力および音声出力と、この放送番組に対応するホームページの映像出力および音声出力とを表示、再生する情報受信装置を構成するとともに、放送番組の音声出力とホームページの音声出力とを切り替える音声出力切り替え手段を備えることが効果的である。
【００１６】
さらに、放送番組の映像出力および音声出力と、この放送番組に対応するホームページの映像出力および音声出力とを表示、再生する情報受信装置を構成するとともに、放送番組の音声出力とホームページの音声出力とを合成する音声合成手段を備えたものである。
【００１７】
また、放送番組の音声出力とホームページの音声出力との切り替え設定を、電子番組ガイド（ＥＰＧ）データに基づき、番組単位で設定可能に構成することが好ましい。
【００１８】
また、放送番組の映像出力とホームページの映像出力とを同時に表示する親画面と子画面に、音響再生中の音声出力が放送番組の音声出力か又はホームページの音声出力かを識別する音声出力表示手段を設けることもできる。
【００１９】
【発明の実施の形態】
本発明の実施の形態を実施例にもとづき図面を参照して説明する。
図１は、本発明に係わる情報受信装置をデジタルテレビジョン放送受信機に実施した場合の一例を示すものである。なお、図４に示す従来例と同一部分には、同一符号を付し、その共通する箇所の詳細な説明は重複するため省略する。
【００２０】
図１において、１はアンテナ、２は復調部、３はＤＥＭＵＸ部、４はＥＰＧデータデコーダ、５は表示部、６はリモコン、７はシステムコントローラ、８は映像デコーダ、９は音声デコーダ、１０はインターフェイス、１１はブラウザ装置、１２はモデム、１３はインターネット、１４はサーバである。
【００２１】
このような各構成から成るデジタルテレビジョン放送受信機において、ブラウザ装置１１の映像出力と音声出力とをシステムコントローラ７によって制御される映像合成部１５と音声合成部１６とへ入力するように構成している。この映像合成部１５には、映像デコーダ８からの映像出力と、ＥＰＧデータデコーダ４からの電子番組ガイド情報と、ブラウザ装置１１からの映像出力とがそれぞれ入力され、システムコントローラ７により選択された種類の映像出力に合成して、表示装置５へ出力する。この表示装置５へ出力する映像出力の種類は、ａ）放送番組のみ、ｂ）ホームページのみ、ｃ）放送番組とホームページの同時表示との３種に区分される。
【００２２】
一方、音声合成部１６には、音声デコーダ９からの音声出力と、ブラウザ装置１１からの音声出力とが入力され、システムコントローラ７によって選択された種類の音声出力に合成して、表示装置５へ出力する。この表示装置５へ出力する音声出力の種類は、ａ）放送番組のみ、ｂ）ホームページのみ、ｃ）放送番組とホームページの同時音声出力との３種に区分される。
【００２３】
表示装置５は、システムコントローラ７の制御にもとづき、図２に示すように、放送番組の映像と、この映像に対応するホームページの映像とを同時に表示するように構成している。例えば、表示装置５の横縦の比率が４：３である場合には、図２（Ａ）に示すように、ニュース映像が表示される親画面の中に、子画面が設定され、そこに、ホームページが表示されるピクチャ・イン・ピクチャによるインターネット情報の表示方式となる。また、表示装置５の横縦の比率が１６：９である場合には、図２（Ｃ）の示すように、親画面にニュース映像が表示され、子画面にホームページが表示されるピクチャ・アウト・ピクチャによるインターネット情報の表示方式となる。
【００２４】
さらに、親画面および子画面の左上部に表示するように構成したアイコン１７および１８により、現在の音声出力が放送番組の音声出力か又はホームページの音声出力かを識別できるようにしている。例えば、図２（Ａ）の場合は、親画面のアイコン１７によって、ニュース映像の音声出力が音響再生されていることを表示し、また、子画面のアイコン１８によって、ホームページの音声出力は、音響再生されていない状態にあることを表示している。音声出力を切り替える場合は、視聴者がアイコン１７又は１８を選択操作することによって、容易に切り替えを行うことができる。
【００２５】
なお、図２（Ａ）又は図２（Ｃ）に示す表示は、視聴者のリモコン６の操作によって、それぞれ図２（Ｂ）又は図２（Ｄ）のように、親画面と子画面の表示を入れ替えることができるように構成している。また、図２に示す表示例においては、アイコン１７、１８を使用したが、テキストなどの表示でもよいし、放送番組表示画面以外の専用の表示装置を用いることも可能である。
【００２６】
また、上記の放送番組の音声出力と、ホームページの音声出力との切り替え設定は、視聴者の選択操作に応じて、システムコントローラ７から放送番組単位（放送番組別）に音声出力の設定変更ができるように構成している。例えば、放送番組がＵＲＬ情報を含むものである場合は、図３に示すように、放送番組を表す桝目にアイコン１９を表示した設定変更画面を構成する。
【００２７】
この図３の設定変更画面のアイコン１９を視聴者が選択することで、放送番組を視聴する以前に、音声出力の設定を、放送番組の音声出力にするか、又は、ホームページの音声出力にするかを設定しておくことができる。このように、アイコン１９は、視聴者による選択の結果、設定変更された音声出力の形式に対応して、その表示を、ａ）放送番組のみ、ｂ）ホームページのみ、ｃ）放送番組とホームページの同時音響再生の３種から希望する音声出力に切り替えることができ、放送番組を選択するたびに、音声出力を切り替えるという煩わしさが解消される。
【００２８】
なお、図３に示す音声出力の設定変更画面は、ＥＰＧ画面を利用しているが、別途設定変更画面を設ける等のその他の手段を用いることも可能である。
【００２９】
【発明の効果】
本発明は、以上説明したように構成されているので、放送番組と、その放送番組に対応する映像出力と音声出力を有するホームページを視聴することができる。また、放送番組とホームページを視聴する際に、視聴者が必要としない音声出力を選択して抑制することができる。
【図面の簡単な説明】
【図１】本発明に係わる情報受信装置の一実施例のデジタルテレビジョン放送受信機を示すブロック図である。
【図２】図１のデジタルテレビジョン放送受信機の親画面と子画面の表示の一例を示す説明図である。
【図３】電子番組ガイド画面の一例を示す説明図である。
【図４】従来のデジタルテレビジョン放送受信機を示すブロック図である。
【図５】図４のデジタルテレビジョン放送受信機の親画面と子画面の表示の一例を示す説明図である。
【符号の説明】
１　　　アンテナ
２　　　復調部
３　　　ＤＥＭＵＸ部
４　　　ＥＰＧデータデコーダ
５　　　表示装置
６　　　リモートコントローラ
７　　　システムコントローラ
８　　　映像デコーダ
９　　　音声デコーダ
１０　　インターフェイス
１１　　ブラウザ装置
１２　　モデム
１３　　インターネット
１４　　サーバ
１５　　映像合成部
１６　　音声合成部
１７、１８、１９　　アイコン
【図１】
2004032650.tif 000003
【図２】
2004032650.tif 000004
【図３】
2004032650.tif 000005
【図４】
2004032650.tif 000006
【図５】
2004032650.tif 000007